(57)【要約】【課題】  冷却性能が高く、騒音の発生が少ない発熱体冷却装置を提供する。【解決手段】  ブレード１９がベンチュリ２９から露出している。少なくともウエブ脚部２８Ａ〜２８Ｃの内面２８ａとブレード１９の径方向外側に位置する端縁部１９ａとの間に形成される間隙を、ウエブ脚部２８Ａ〜２８Ｃの端部側（またはウエブ本体３０Ａ〜３０Ｃ）に向かうに従って広がるようにブレード１９の形状をそれぞれ定める。これによってブレード１９がウエブ脚部２８Ａ〜２８Ｃに沿って回動する際に発生する騒音を低減する。【選択図】  図５
2010226144.tif 000002
【特許請求の範囲】
【請求項１】
裏面に冷却されるべき発熱体が装着されるベース及び複数枚の放熱フィンを備えて前記ベースに対して固定された放熱フィン群からなるヒートシンクと、
前記ヒートシンクの上方側に配置されて少なくとも前記放熱フィン群を構成する前記複数枚の放熱フィンに沿って空気を流して前記放熱フィンからの放熱を促進する軸流ファン装置とを具備する発熱体冷却装置であって、
前記軸流ファン装置は、
回転軸を有するモータと、
複数枚のブレードを有し且つ前記回転軸に取り付けられたインペラと、
前記回転軸の径方向外側から前記インペラを囲む筒状のベンチュリと、
前記径方向に間隔をあけて配置され、前記ベンチュリと前記モータのハウジングとを連結する複数本のウエブとを備え、
前記径方向外側から見た状態で、前記複数枚のブレードのそれぞれの前記モータの前記ハウジング側に位置する部分が見えるように前記ベンチュリの形状が定められており、
前記複数本のウエブが、それぞれ前記ベンチュリの端部から前記モータの前記ハウジング側に延び且つ前記ベンチュリの内周面と連続し且つ前記内周面に沿って湾曲する内面とを有するウエブ脚部と、前記ウエブ脚部の前記ハウジング側の端部と前記ハウジングとの間に位置するウエブ本体とを備えており、
前記複数枚のブレードの前記径方向外側に位置する端縁部の前記径方向の最も外側に位置する頂点が内接する仮想円柱面と前記端縁部の全体との間の各部の角度が、４°以上の角度になるように、前記複数枚のブレードの形状が定められている発熱体冷却装置。
【請求項２】
前記ヒートシンクの前記ベースは柱状を呈しており、
前記複数枚の放熱フィンは前記ベースの径方向外側に位置しており、
前記回転軸の回転中心と前記ベースの中心とがほぼ整合するように前記軸流ファン装置が前記ヒートシンクに対して取り付けられており、
前記ベースを裏面側から見た前記ベースの輪郭が、前記軸流ファン装置を裏面側から見た前記インペラの輪郭の内側に位置するように定められていることを特徴とする請求項１に記載の発熱体冷却装置。
【請求項３】
前記軸流ファン装置のファンケースは前記ベンチュリの外側に位置して前記ヒートシンクと対向する対向壁部と、前記対向壁部に設けられ且つ前記ヒートシンク側に向かって延びる周壁部とを備え、
前記ファンケースは前記対向壁部と前記ヒートシンクとの間に前記インペラから吐き出された空気が通る空間を形成するが、前記空間を通る空気の全部または大部分が前記放熱フィン群の中を通ることなく直接前記ファンケースの外部に排出されるのを阻止するように構成されている請求項１に記載の発熱体冷却装置。
【請求項４】
前記放熱フィン群を構成する前記複数枚の放熱フィンは、
前記ベースの外周部から直接前記径方向に延びて前記ベースの前記外周部を囲む囲繞空間を複数の分割空間に分割する２枚以上の空間分割用放熱フィンと、
前記分割空間内に位置して前記分割空間を更に小さく分割する複数枚の細分割用放熱フィンとを備え、
前記複数枚の細分割用放熱フィンの一部の前記複数枚の細分割用放熱フィンは、隣接する２枚の前記空間分割用放熱フィンからそれぞれ外側に延びており、残りの前記複数枚の細分割用放熱フィンは前記２枚の空間分割用放熱フィンの間に位置する前記ベースの外周部分から外側に延びており、
１つの前記分割空間内に位置している前記複数枚の細分割用放熱フィンは、前記インペラが回転する方向と逆の方向に傾斜している請求項１に記載の発熱体冷却装置。
【発明の詳細な説明】
【技術分野】
【０００１】
本発明は、軸流ファン装置を用いた電子部品等の発熱体を冷却する発熱体冷却装置に関するものである。
【背景技術】
【０００２】
裏面に冷却されるべき発熱体が装着されるベース及びベースに対して固定された複数枚の放熱フィンからなるヒートシンクと、ヒートシンクの上方側に配置されて少なくとも複数枚の放熱フィンに沿って空気を流して放熱フィンからの放熱を促進するファン装置とを具備する発熱体冷却装置が知られている。この発熱体冷却装置では、発熱体から発生した熱がベースから複数枚の放熱フィンに伝達され、ファン装置から複数枚の放熱フィンに沿って流れる空気により、放熱フィンの熱を奪って発熱体を冷却する。
【０００３】
例えば米国特許第６，４０７，９１３号公報には、ベースの上に平行に並ぶ複数枚の放熱フィンを備えたヒートシンクをファン装置で冷却する電子部品冷却装置が示されている。
【０００４】
また出願人の先願に係わる特願２００２−２６７０９３号には、インペラを回転させるモータの回転軸の径方向外側から見た状態で、複数枚のブレードのモータ側に位置する部分が見えるようにベンチュリの形状が定められた軸流ファン装置が示されている。
【０００５】
更に米国意匠特許第４４１，７２４号、米国意匠特許第４５０，３０６号公報等に示されたヒートシンクは、放熱フィン群を構成する複数枚の放熱フィンが、ベースの外周部から直接前記径方向に延びてベースの外周部を囲む囲繞空間を４つの分割空間に分割する４枚の空間分割用放熱フィンと、各分割空間内に位置して分割空間を更に小さく分割する複数枚の細分割用放熱フィンとを備えている。各分割空間内に位置する複数枚の細分割用放熱フィンのうち、一部の複数枚の細分割用放熱フィンは、隣接する２枚の前記空間分割用放熱フィンからそれぞれ外側に延びている。そして残りの複数枚の細分割用放熱フィンは、２枚の空間分割用放熱フィンの間に位置するベースの外周部分から外側に延びている。
【先行技術文献】
【特許文献】
【０００６】
【特許文献１】米国特許第６，４０７，９１３号公報の図面
【特許文献２】米国意匠特許第４４１，７２４号公報の図面
【特許文献３】米国意匠特許第４５０，３０６号公報の図面
【発明の概要】
【発明が解決しようとする課題】
【０００７】
特願２００２−２６７０９３号に示された軸流ファン装置のように、インペラを回転させるモータの回転軸の径方向外側から見た状態で、複数枚のブレードのモータ側に位置する部分が見えるようにベンチュリの形状が定められた軸流ファン装置では、騒音が比較的大きくなる問題がある。
【０００８】
本発明の目的は、冷却性能が高く、しかも騒音の発生が少ない発熱体冷却装置を提供することにある。
【課題を解決するための手段】
【０００９】
本発明が改良の対象とする軸流ファン装置は、回転軸を有するモータと、複数枚のブレードを有し且つ回転軸に取り付けられたインペラと、回転軸の径方向外側からインペラを囲む筒状のベンチュリと、回転軸の周方向に間隔をあけて配置され、ベンチュリとモータのハウジングとを連結する複数本のウエブとを備えている。そして径方向外側から見た状態で、複数枚のブレードのそれぞれのモータのハウジング側に位置する部分が見えるようにベンチュリの形状が定められている。また複数本のウエブが、それぞれベンチュリの端部からモータのハウジング側に延び且つベンチュリの内周面と連続する内面を有するウエブ脚部と、ウエブ脚部のハウジング側の端部とハウジングとの間に位置するウエブ本体とを備えている。そしてモータ側からベンチュリ内に空気を吸い込む。
【００１０】
本発明の軸流ファン装置は、少なくともウエブ脚部の内面と複数枚のブレードの径方向外側に位置する端縁部との間に形成される間隙が、ウエブ脚部の前記端部側に向かうに従って広がるように複数枚のブレードの形状がそれぞれ定められている。
【００１１】
なおベンチュリの内周面とブレードの端縁部との間の間隙は一定でもよい。しかしベンチュリの内周面及び内面と複数枚のブレードの径方向外側に位置する端縁部との間に形成される間隙を、ウエブ脚部の端部側に向かうに従って広がるように複数枚のブレードの形状をそれぞれ定めてもよい。
【００１２】
見方を変えると、ブレードの端縁部がウエブ脚部の内面に沿って移動する際に発生する騒音を低減するように、前記間隙はウエブ脚部の端部（またはウエブ本体）側に向かうに従って徐々に広がっている。
【００１３】
本発明によれば、ブレードがベンチュリから飛び出ている状態で、ブレードがウエブ脚部に沿って回動する際に発生する騒音を大幅に低減することができる。この間隙の広がり量をあまり大きくすると、騒音は低下するものの風量も低下する。逆にこの間隙の広がり量が小さいと、風量は低下しないが、騒音の低減量が少なくなる。そこでこの間隙の広がり量は、必要とする風量と望む騒音の低減量とに基づいて適宜に定めることになる。騒音の低減理由は、定かではない。しかしながら、実際に試験をしてみると、騒音が低減することは確認されている。なお試験結果によると、複数枚のブレードのそれぞれの端縁部における径方向の最も外側に位置する頂点が内接する仮想円柱面と端縁部との間の各部の角度が４°程度または４°以上になるように、複数枚のブレードの形状を定めるのが好ましい。この角度範囲であれば、風量を実質的に減らさずに騒音を低減できる。なお前記複数枚のブレードのそれぞれの端縁部の主要部が、共通の仮想円錐面に内接するように形成されるのが好ましい。なおこの端縁部のハウジング側の角部には通常アール（湾曲部）が形成されることになるが、このアール（湾曲部）の湾曲の程度の差はさほど影響がないと考えられる。
【００１４】
なおウエブ脚部の内面は、ベンチュリの内周面と連続し且つこの内周面に沿って湾曲しているものが好ましい。この場合、内面の湾曲は、ベンチュリの内周面の湾曲と実質的に同じものになる。このようにすると間隙の広がり量に対する騒音の低減量を大きくすることができる。
【００１５】
本願発明が改良の対象とする発熱体冷却装置は、裏面に冷却されるべき発熱体が装着されるベース及び複数枚の放熱フィンを備えてベースに対して固定された放熱フィン群からなるヒートシンクと、ヒートシンクの上方側に配置されて少なくとも放熱フィン群を構成する複数枚の放熱フィンに沿って空気を流して放熱フィンからの放熱を促進する軸流ファン装置とを具備する発熱体冷却装置を対象とする。そしてヒートシンクのベースを柱状を呈するものとする。また複数枚の放熱フィンは、ベースの径方向外側に位置している。すなわち複数枚の放熱フィンは、直接的または間接的に柱状のベースに対して固定されており、ベースの径方向外側とベースの外周面の高さ方向（ファン装置からヒートシンクに向かう方向）に沿う方向の両方に延びている。好ましいファン装置は、本発明の軸流ファン装置である。
【００１６】
ヒートシンクの放熱フィン群は、ベースの外周部から直接径方向に延びてベースの外周部を囲む囲繞空間を複数の分割空間に分割する２枚以上の空間分割用放熱フィンと、分割空間内に位置して分割空間を更に小さく分割する複数枚の細分割用放熱フィンとを備えている。複数枚の細分割用放熱フィンの一部の複数枚の細分割用放熱フィンは、隣接する２枚の空間分割用放熱フィンからそれぞれ外側に延びている。また残りの複数枚の細分割用放熱フィンは、２枚の空間分割用放熱フィンの間に位置するベースの外周部分から外側に延びている。このようにすれば、ベースを中心にして放射状に複数枚の放熱フィンを配置する場合と比べて複数枚の放熱フィンの総表面積を大きくすることができる。そのため冷却性能を向上させることができる。
【００１７】
１つの分割空間内に位置している複数枚の細分割用放熱フィンは、インペラが回転する方向と逆の方向に傾斜させるのが好ましい。このようにすると冷却効果を高めることができる。この点の理由は明確ではないが、冷却用空気が効率よくフィンに当たるためであると考えられる。
【００１８】
２枚以上の空間分割用放熱フィンの形状は、各空間分割用放熱フィンに結合されている複数枚の細分割用放熱フィンを通して十分な放熱を行うことができるように定めるのが好ましい。
【図面の簡単な説明】
【００１９】
【図１】電子部品冷却装置に適用した本発明の実施の形態の発熱体冷却装置の平面図である。
【図２】電子部品冷却装置に適用した本発明の実施の形態の発熱体冷却装置の右側面図である。
【図３】電子部品冷却装置に適用した本発明の実施の形態の発熱体冷却装置の正面図である。
【図４】電子部品冷却装置に適用した本発明の実施の形態の発熱体冷却装置の底面図である。
【図５】電子部品冷却装置の斜視図である。
【図６】ヒートシンクの斜視図である。
【図７】（Ａ）〜（Ｃ）は使用するインペラの正面図、一部切り欠き平面図及び背面図である。
【発明を実施するための形態】
【００２０】
図１〜図４は、電子部品冷却装置に適用した本発明の実施の形態の発熱体冷却装置の平面図、右側面図、正面図及び底面図であり、図５は、図１〜図４の電子部品冷却装置１の斜視図であり、図６は使用するヒートシンク３の斜視図であり、図７（Ａ）〜（Ｃ）は使用するインペラの正面図、一部切り欠き平面図及び背面図である。これらの各図に示すように、本例の電子部品冷却装置１は、ヒートシンク３と軸流ファン装置５とを有している。ヒートシンク３は、図４に示すように、ベース７とベース７に対して固定された放熱フィン群９とを有している。ベース７は、内部に空洞を有する円筒形の中空部７ａと、空洞内に中空部７ａと熱伝導可能に配置されて中空部７ａを形成するために用いる材料よりも熱伝導率の高い高熱伝導率体７ｂとから構成される。高熱伝導率体７ｂは、放熱フィン群９及び中空部７ａの材質（アルミニウム）より熱伝導度の高い銅から形成されており、ほぼ円柱形状を呈している。ベース７の直径寸法（中空部７ａの外形寸法）は、後述する軸流ファン装置５のインペラ２３の外径寸法以下である。
【００２１】
図４に示されるように、ベース７の外周には、放熱フィン群９が固定されている。ベース７の裏面（軸流ファン装置５が位置する側とは反対の面、即ち、底面７ｃ）には、冷却されるべき電子部品からなる発熱体が装着されることになる。このヒートシンク３では、放熱フィン群９の複数枚の放熱フィン（１３Ａ〜１３Ｄ，１５）の全部が、軸流ファン装置５が配置される側から見たベース７の輪郭（中空部７ａの輪郭）の外側に位置するように構成されている。
【００２２】
放熱フィン群９は、円筒形の中空部７ａに一体に固定された４枚の空間分割用放熱フィン１３Ａ〜１３Ｄと、中空部７ａと空間分割用放熱フィン１３Ａ〜１３Ｄとに固定された複数枚の細分割用放熱フィン１５…とから構成されている。図４及び図６を参照して放熱フィン群９の構成について説明すると、４枚の空間分割用放熱フィン１３Ａ〜１３Ｄは、中空部７ａに固定された板状のフィン本体１３ａと、フィン本体１３ａの先端に固定された第１の板状部１３ｂと、第１の板状部１３ｂの先端に固定された第２の板状部１３ｃとを有している。フィン本体１３ａは、中空部７ａに一体に固定された基部から先端部に向かう（中空部７ａの径方向外側に向かう）にしたがって厚み寸法（中空部７ａの周方向に沿う寸法）が徐々に小さくなる形状を有している。この形状は、複数枚の細分割用放熱フィン１５…を通して十分な放熱を行うことができるように定められている。第１の板状部１３ｂ及び第２の板状部１３ｃは、横断面形状（ヒートシンク３の裏面側から見た形状）がＬ字状になるように配置されている。そして、空間分割用放熱フィン１３Ａの第２の板状部１３ｃと空間分割用放熱フィン１３Ｄの第２の板状部１３ｃとが平行になり、空間分割用放熱フィン１３Ｂの第２の板状部１３ｃと空間分割用放熱フィン１３Ｃの第２の板状部１３ｃとが平行になるように、４枚の空間分割用放熱フィン１３Ａ〜１３Ｄは配置されている。第２の板状部１３ｃには、図３並びに図６に示すように、切欠部１３ｄが形成されている。切欠部１３ｄは、後述するファンケース２５の係止片３５を係止するための被係止部を構成している。
【００２３】
４枚の空間分割用放熱フィン１３Ａ〜１３Ｄは、中空部７ａから直接径方向に放射状に延びて、ベース７の外周部を囲む囲繞空間を４つの分割空間Ｓ１〜Ｓ４に分割している。より具体的には、ベース７の周方向に互いに１８０°離れた２箇所の位置に２枚の空間分割用放熱フィン１３Ａ，１３Ｃが配置されている。また、ベース７の周方向に互いに１８０°離れた別の２箇所の位置に２枚の空間分割用放熱フィン１３Ｂ，１３Ｄが配置されている。
【００２４】
複数枚の細分割用放熱フィン１５…は、分割空間Ｓ１〜Ｓ４内に位置して分割空間Ｓ１〜Ｓ４を更に小さく分割している。隣接する２枚の空間分割用放熱フィン（１３Ａ，１３Ｂ）（１３Ｂ，１３Ｃ）（１３Ｃ，１３Ｄ）（１３Ｄ，１３Ａ）間に位置する複数枚の細分割用放熱フィン１５…は、２枚の空間分割用放熱フィンの間に位置する中空部７ａの部分と２枚の空間分割用放熱フィンとからそれぞれ外側に延びている。各分割空間Ｓ１〜Ｓ４内に位置している複数枚の細分割用放熱フィン１５…は、後述するインペラ２３が回転する方向（図１の矢印の方向）と逆方向に傾斜している。このようにすると、冷却効果を高めることができる。
【００２５】
軸流ファン装置５は、図１乃至図３及び図５に示すように、モータ１７と、７枚のブレード１９…及びカップ状のブレード取付部２１（図２）を備えてモータ１７によって回転駆動されるインペラ２３と、ファンケース２５と、３本のウエブ２７Ａ〜２７Ｃとを備えている。そして、軸流ファン装置５は、ウエブ２７Ａ〜２７Ｃ側から空気を吸い込んで、放熱フィン群９に向かって空気を吹き付けるように動作する。本例では、ファンケース２５、モータ１７のハウジング１７ａ及びウエブ２７Ａ〜２７Ｃは合成樹脂材料を主原料とする成形材料により一体に形成されている。
【００２６】
軸流ファン装置５は、図示しない回転軸を有するモータを駆動源として、回転軸に取り付けたインペラ２３を回転軸を中心にして回転させる。なお回転軸の回転中心とヒートシンク３のベース７の中心とがほぼ一致するように、軸流ファン装置５はヒートシンク３に対して取り付けられている。この例では、ベース７（中空部７ａ）の外径寸法は、ブレード取付部２１の外径寸法よりも小さく設定されている。
【００２７】
ファンケース２５は、図１〜図５に詳細に示すように、インペラ２３を回転可能に収納する筒状のベンチュリ２９と、ベンチュリ２９の外側に位置してヒートシンク３と対向する対向壁部３１と、対向壁部３１に設けられ且つベース７側に延びる周壁部３３と、対向壁部３１に設けられた４つの係止片３５…とを備えている。ベンチュリ２９は、図２、図３及び図５に示すように、径方向外側から見た状態で、複数枚のブレード１９のモータ１７のハウジング１７ａ側に位置する部分が見えるようにベンチュリ２９の形状が定められている。言い換えると、ベンチュリ２９の軸線方向寸法が短く、ベンチュリ２９の一方の開口端部から複数枚のブレード１９の一部が露出している。なおベンチュリ２９は、モータ１７のハウジング側の開口端部に径方向外側に向かって広がる第１のテーパ部を有しており、このテーパ部に連続して直径寸法が変わらない直線部が形成され、この直線部に連続して径方向外側に向かって広がる第２のテーパ部が形成された構造を有している。なお後述するウエブ脚部２８Ａ〜２８Ｃの内面２８ａは、ベンチュリ２９の内周面２９ａの直線部と連続している。
【００２８】
ファンケース２５の対向壁部３１には、図４に示すように、対向壁部３１と放熱フィン群９との間に位置して両者の間に空間を形成し且つこの空間を維持する２つのスペーサ手段３４，３４が配置されている。
【００２９】
周壁部３３は、図３及び４に示すように、前述の２つの分割空間Ｓ１，Ｓ３内の細分割用放熱フィン１５…の一部と横方向で対向する第１の一対の側壁部３３Ａ，３３Ａと、２つの分割空間Ｓ２，Ｓ４内の細分割用放熱フィン１５…と横方向で対向する第２の一対の側壁部３３Ｂ，３３Ｂとを有している。第１の一対の側壁部３３Ａ，３３Ａは、２つのスリット３６によって分割された３つの側壁構成部３８ａ，３８ｂ，３８ｃとから構成されている。両側の２つの側壁構成部３８ａ，３８ｃには、図示しない取付金具を係止するためのフック３８ｄ［図２］が設けられている。スリット３６は、側壁構成部３８ａ，３８ｃが外力を受けたときに内側に向かって傾斜することを許容している。第１の一対の側壁部３３Ａ，３３Ａ及び第２の一対の側壁部３３Ｂ，３３Ｂは、対向壁部３１とヒートシンク３との間にインペラ２３から吐き出された空気が通る空間を形成するが、この空間を通る空気の全部または大部分が複数枚の細分割用放熱フィン１５…の間を通ることなく直接ファンケース２５の外部に排出されるのを阻止するように配置されている。
【００３０】
４つの係止片３５…は、図３及び図５に示すように、対向壁部３１からヒートシンク３に向かって延びる本体部３１ａと、本体部３１ａのヒートシンク３側の縁部からベース７に向かって突出する係合突部３１ｂとを有している。４つの係止片３５の係合突部３１ｂは、それぞれ４枚の空間分割用放熱フィン１３Ａ〜１３Ｄの先端にある第２の板状部１３ｃに設けた切欠部１３ｄに、弾発係合（スナップイン係合）されている。このようにして、軸流ファン装置５はヒートシンク３に対して着脱可能に装着される。
【００３１】
ウエブ２７Ａ〜２７Ｃは、図１及び図５に示すように、ファンケース２５とモータ１７との間に配置されてモータ１７を支持している。３本のウエブ２７Ａ〜２７Ｃは、それぞれベンチュリ２９の端部からモータ１７のハウジング１７ａ側に延び且つベンチュリ２９の内周面２９ａと連続する内面２８ａとを有するウエブ脚部２８Ａ〜２８Ｃと、ウエブ脚部２８Ａ〜２８Ｃの端部とハウジング１７ａとの間に位置するウエブ本体３０Ａ〜３０Ｃとを備えている。
【００３２】
この軸流ファン装置５では、少なくともウエブ脚部２８Ａ〜２８Ｃの内面２８ａとブレード１９の径方向外側に位置する端縁部１９ａとの間に形成される間隙が、ウエブ脚部２８Ａ〜２８Ｃの端部側（またはウエブ本体３０Ａ〜３０Ｃ）に向かうに従って広がるようにブレード１９の形状がそれぞれ定められている。このようにすると、ブレード１９がベンチュリ２９から飛び出ている状態で、ブレード１９がウエブ脚部２８Ａ〜２８Ｃに沿って回動する際に発生する騒音を大幅に低減することができる。
【００３３】
なおベンチュリ２９の内周面２９ａとブレード１９の端縁部１９ａとの間の間隙は一定でもよい。しかしベンチュリ２９の内周面２９ａ及びウエブ脚部２８Ａ〜２８Ｃの内面２８ａとブレード１９の径方向外側に位置する端縁部１９ａとの間に形成される間隙を、ウエブ脚部２８Ａ〜２８Ｃの端部側に向かうに従って広がるように複数枚のブレード１９の形状をそれぞれ定めてもよい。言い換えると、ブレード１９の端縁部１９ａがウエブ脚部２８Ａ〜２８Ｃの内面２８ａに沿って移動する際に発生する騒音を低減するように、前記間隙をウエブ脚部２８Ａ〜２８Ｃの端部（またはウエブ本体）側に向かうに従って徐々に広げるようにしてもよい。
【００３４】
なお本実施の形態では、ウエブ脚部２８Ａ〜２８Ｃの内面２８ａは、ベンチュリ２９の内周面２９ａと連続し且つこの内周面２９ａに沿って湾曲している。その結果、ウエブ脚部２８Ａ〜２８Ｃの内面２８ａの湾曲は、ベンチュリ２９の内周面２９ａの湾曲と実質的に同じものになる。このようにすると前述の間隙の広がり量に対する騒音の低減量を大きくすることができる。
【００３５】
上記の間隙を形成するためのインペラ２３の形状は図７に示す通りである。図７（Ａ）乃至（Ｃ）に示すように、ブレード１９のそれぞれの端縁部１９ａにおける径方向の最も外側に位置する頂点が内接する仮想円柱面ＦＣと端縁部１９ａとの間の各部の角度θが４°程度または４°以上になるように、複数枚のブレードの形状を定めるのが好ましい。この例では、複数枚のブレード１９の端縁部１９ａの主要部は、仮想円柱面ＦＣの内側に位置する共通の仮想円錐面に内接している。前述の角度θは、仮想円柱面ＦＣとこの仮想円錐面との間に形成される角度であるとも言える。なお各部の形状によっても異なるが、例えば、この角度θが４°±０．５°の範囲の値になると、好ましい結果が得られる。しかしながらこの角度の適正範囲は、周囲の部材の形状、ブレードの形状寸法、モータの回転速度によって変わり得るものであり、現段階では必ずしも確定し得ない。しかしこの角度θを適宜に定めることにより、風量を実質的に減らさずに騒音を低減できることが試験により確認されている。なお図７（Ｂ）においては、矢印Ｆはインペラ２３が回転しているときの風の方向を示している。
【００３６】
図７に示すように、各ブレード１９の端縁部１９ａの軸線方向両側に位置する端部には、アール（湾曲部）が形成されている。特に、モータ１７のハウジング１７ａ側に位置するアール（湾曲部）１９ｂの影響について試験を行った。このアール（湾曲部）１９ｂについては、曲率半径が大きくても、また小さくてもさほど騒音の低減には大きな影響がなかった。しかしながらアール（湾曲部）１９ｂについては、曲率半径が大きい場合のほうが、小さい場合よりも、騒音の発生低減に寄与するものと考える。
【００３７】
なおウエブ２７Ａ〜２７Ｃの内の１つのウエブ２７Ａには、モータ１７に電力を供給する複数本の導電線３９が内部に配置されている。また図１に示すように、３本のウエブ２７Ａ〜２７Ｃのウエブ本体３０Ａ〜３０Ｃは、回転軸の径方向よりも接線方向に延びている。
【産業上の利用可能性】
【００３８】
本発明によれば、ブレードがベンチュリから飛び出ている状態で、ブレードがウエブ脚部に沿って回動する際に発生する騒音を大幅に低減することができる。
【符号の説明】
【００３９】
１  電子部品冷却装置
３  ヒートシンク
５  軸流ファン装置
７  ベース
９  放熱フィン群
１１  外周部分
１３Ａ〜１３Ｄ  空間分割用放熱フィン
１３ｄ  切欠部（被係止部）
１５，１１５  細分割用放熱フィン
Ｓ１〜Ｓ４  分割空間
１７  モータ
１９  ブレード
２１  ブレード取付部
２３  インペラ
２５  ファンケース
２７Ａ〜２７Ｃ  ウエブ
２９  ベンチュリ
３１  対向壁部
３３  周壁部
３５  係止片
【図１】
2010226144.tif 000003
【図２】
2010226144.tif 000004
【図３】
2010226144.tif 000005
【図４】
2010226144.tif 000006
【図５】
2010226144.tif 000007
【図６】
2010226144.tif 000008
【図７】
2010226144.tif 000009